(57)【要約】　　　（修正有）【課題】照明器具が交換されて所望位置への再設定をする必要がある時であろうと、又は新しい位置へ動かされた時であろうとも、照明器具の方向再設定は照明器具を動かす電動システムを使用するリモートコントロールにより、可能にする。【解決手段】照明用のシステムであり、該システムは、少なくとも、光を発するための第１照明器具を具えている。又、該システムは、第１照明器具を所望の位置へ配置するための電動手段を具えている。電動手段は、照明器具に連繋している。照明方法に関する発明であり、該方法は、コントローラを用いて、第１モータを指令する工程を含んでいる。第１モータにより、第１照明器具を所望の位置に配置する工程が設けられている。【選択図】図５
2004031327.tif 000002
【特許請求の範囲】
【請求項１】
少なくとも光を発するための第１の照明器具と、
天井内に配置する様に作られ、第１照明器具を線状（ｌｉｎｅａｒｌｙ）に動かすことによって、第１照明器具を所望位置へ位置決めする電動手段と、
を具えており、電動手段は照明器具へ接続されている、天井を有する部屋の照明システム。
【請求項２】
電動手段は、所望位置へ照明器具を移動させる第１モータを具えている、請求項１に記載のシステム。
【請求項３】
第１モータをコントロールするコントローラを具えており、コントローラは第１モータと通信する、請求項２に記載のシステム。
【請求項４】
電動手段は、第１モータ及び第１照明器具へ接続されている駆動列を具えており、第１モータは駆動列を動かし、第１照明器具を所望位置へ位置決めする、請求項３に記載のシステム。
【請求項５】
電動手段は、照明器具を第２位置へ動かす第２モータを具えており、第２モータは駆動列に接続されて、第１照明器具を所望位置へ動かす、請求項４に記載のシステム。
【請求項６】
電動手段は、第１照明器具を保持し、駆動列へ接続されている照明器具取付手段を具えている、請求項５に記載のシステム。
【請求項７】
駆動列は、第１照明器具を第１範囲へ動かす第１駆動要素を具えており、該第１駆動要素は第１モータへ接続されている、請求項６に記載のシステム。
【請求項８】
駆動列は、第１照明器具を第２範囲へ動かす第２駆動要素を具えており、第２駆動要素は第２モータへ接続されている、請求項７に記載のシステム。
【請求項９】
コントローラは、第１モータ又は第２モータへ駆動信号を送信するトランスミッタと、夫々駆動信号を受信する受信機を有する第１モータ及び第２モータとを具えている、請求項８に記載のシステム。
【請求項１０】
トランスミッタ及び各受信機は、有線又は無線により通信する、請求項９に記載のシステム。
【請求項１１】
第１駆動要素は、第１溝付きホイールセット、及び該第１ホイールセットの周りと溝とに対応した第１バンドセットを具えており、第１ホイールセットが回転すると第１バンドセットが動かされ、第１照明器具を所望位置へ動かす、請求項１０に記載のシステム。
【請求項１２】
第２駆動要素は、第２溝付きホイールセット、及び該第２ホイールセットの周りに対応した第２バンドセットを具えており、第２ホイールセットが回転すると、第２バンドセットが動かされ、第１照明器具を所望位置へ動かす、請求項１１に記載のシステム。
【請求項１３】
第１駆動要素は、第１照明器具を所望位置へ動かすよう作用する第１ギアセットを具えている、請求項１０に記載のシステム。
【請求項１４】
第２駆動要素は、第１照明器具を所望位置へ動かすよう作用する第２ギアセットを具えている、請求項１０に記載のシステム。
【請求項１５】
Ｎ個の追加照明器具及びＮ個の追加電動手段は、夫々の照明器具及びコントローラと通信し、コントローラは、Ｎ個の電動手段をコントロールして、各Ｎ個の照明器具はＮ個の中の他の照明器具とは関係なく、夫々の所望位置へ配置できる、請求項１４に記載のシステム。
【請求項１６】
部屋の天井に配置された第１モータをコントローラによって指令する工程と、
第１照明器具を線状（ｌｉｎｅａｒｌｙ）に動かすことにより、第１照明器具を第１モータと共に所望位置へ位置決めする工程を有する照明方法。
【請求項１７】
位置決め工程は、第１照明器具へ繋がった駆動列を第１モータによって動かす工程を有し、第１照明器具を所望位置へ動かす、請求項１６に記載の方法。
【請求項１８】
動かす工程は、駆動列の第１駆動要素を第１モータによって動かす工程を有し、第１照明器具を第１範囲へ位置決めする、請求項１７に記載の方法。
【請求項１９】
動かす工程は、駆動列の第２駆動要素を第２モータによって動かす工程を有し、第１照明器具を第２範囲に位置決めする、請求項１８に記載の方法。
【請求項２０】
動かす工程は、第１モータ及び第２モータ付駆動列へ接続され、第１照明器具を保持するための照明器具取付手段を動かす工程を具える、請求項１９に記載の方法。
【請求項２１】
指令する工程は、コントローラから第１モータ及び第２モータへ駆動信号を送信する工程を具え、第１照明器具を所望位置へ位置決めさせるために第１モータ及び第２モータにより第１駆動要素及び第２駆動要素を動かす、請求項２０に記載の方法。
【請求項２２】
送信工程は、第１モータ及び第２モータへ有線又は無線で駆動信号を送信する工程を具える、請求項２１に記載の方法。
【請求項２３】
Ｎは１より大きい又は同等である整数であり、コントローラによって、夫々の所望位置へ、個々のＮ個のモータによりＮ個の追加照明器具を動かす工程を有する、請求項２２に記載の方法。
【請求項２４】
少なくとも光を発するための第１の照明器具と、
天井内に配置する様に作られ、第１照明器具を動かすことによって、第１照明器具を所望位置へ位置決めする電動手段と、
を具えており、電動手段は照明器具へ接続されている、天井を有する部屋の照明システム。
【発明の詳細な説明】
【０００１】
【発明の属する技術分野】
本発明は、電動照明装置に関するものである。さらに具体的に述べると、本発明は、照明器具を第１範囲及び第２範囲へ動かすための第１駆動要素及び第２駆動要素を有し、照明器具を所望位置へ位置決めする電動照明装置に関するものである。
【０００２】
【従来の技術】
向きが決められた照明装置は様々な場所で見られる。これらの場所は、例えば、照明器具の交換や照明器具の方向を再設定するには、通常、器具に手が届くための梯子や、他の設備無しでは行けない場所を含んでいる。もし照明器具を再設定する必要がある場合は、梯子や特別設備を持ち出してきて、器具に手が届き、器具の方向が変えられる。あるいは、照明器具を交換せねばならない時、この様な場合はしばしばあるが、照明器具の方向が、その取外しや交換によって変わり、所望する場所に光をあてるには、方向を再び設定しなおさねばならなくなる。多くの場合、照明器具の調整は非常に単調な作業であり、梯子に立ったり特別設備を使用する時は、一層困難になる。従って、照明器具の方向の再設定や交換は一般的に時間のかかる仕事である。
【０００３】
【発明が解決しようとする課題】
本発明は、照明器具が交換されて所望位置への再設定をする必要がある時であろうと、又は新しい位置へ動かされた時であろうとも、照明器具の方向再設定は照明器具を動かす電動システムを使用するリモートコントロールにより、可能にするものである。
【０００４】
【課題を解決するための手段】
本発明は、天井を有する部屋の照明システムに関するものである。このシステムは、少なくとも光を発するための第１の照明器具を含んでいる。このシステムは、天井内へ配置する様に作られた電動手段を具えており、第１照明器具を望ましくは線状（ｌｉｎｅａｒｌｙ）に動かすことにより、所望位置へ第１照明器具を位置決めする。電動手段は照明器具に接続されている。
【０００５】
本発明は、照明の方法に関するものである。この方法は、部屋の天井に配置された第１モータをコントローラによって向きを定める工程を含んでいる。第１モータによって第１照明器具を線状（ｌｉｎｅａｒｌｙ）に動かすことにより、第１照明器具を所望位置へ位置決めする工程がある。
【発明の実施の形態】
【０００６】
図面を参照するに際して、同じ参照符号は、複数の図面を通じて、類似もしくは同一の部分を示しており、なかでも特に図１から図７において、天井を有する部屋を照らすシステム（１０）を図示している。システム（１０）は、少なくとも、光を発するための第１照明器具（１２）を具えている。システム（１０）は、電動手段（１４）を具えている。該手段は、天井内に配備される様に作られており、第１照明器具（１２）を、望ましくは線状（ｌｉｎｅａｒｌｙ）に動かして、所望の位置に該第１照明器具を配置する。該電動手段（１４）は、照明器具に連繋されている。
【０００７】
電動手段（１４）は、照明器具を所望の位置へ動かすために第１モータ（１６）を具えているのが望ましい。システム（１０）は、望ましくは、第１モータ（１６）を制御するためのコントローラ（１８）を具えており、該コントローラ（１８）は、第１モータ（１６）と通信する。電動手段（１４）は、第１モータ（１６）及び第１照明器具（１２）に連結している駆動列（２０）を具えている。第１モータ（１６）は、駆動列（２０）（ｄｒｉｖｅ　ｔｒａｉｎ）を動かして、第１照明器具（１２）を所望の位置に配置する。電動手段（１４）は、照明器具を第２位置に動かすための第２モータ（２２）を具えていることが望ましく、該第２モータ（２２）は、駆動列（２０）に連結しており、第１照明器具（１２）を所望の位置に動かす。
【０００８】
電動手段（１４）は、照明器具連結手段（２４）を具えているのが望ましく、該照明器具連結手段は、第１照明器具（１２）を支持し、駆動列（２０）に連結されている。望ましくは、駆動列（２０）は、第１駆動要素（２６）を具え、第１照明器具（１２）を、第１範囲内で動かす。該第１駆動要素（２６）は、第１モータ（１６）に連結されている。駆動列（２０）は、第２駆動要素（２８）を具えているのが望ましく、第１照明器具（１２）を第２範囲内で動かす。該第２駆動要素は、第２モータ（２２）に連結されている。
【０００９】
コントローラ（１８）は、トランスミッタ（３０）を有しているのが望ましく、該トランスミッタ（３０）は、第１モータ（１６）もしくは第２モータ（２２）に、駆動信号を伝送する。又、第１モータ（１６）及び第２モータ（２２）夫々が、受信機（３２）を有し、駆動信号を受信する。トランスミッタ（３０）と各々の受信機（３２）は、電線で、もしくは無線で交信することが望ましい。
【００１０】
第１駆動要素（２６）は、溝（３６）付き第１ホイールセット（３４）と第１帯セットを具えているのが望ましく、第１帯セットは、第１ホイールセット（３４）及び溝（３６）の周囲にはめ込まれ、第１ホイールセット（３４）が回転するとき、第１帯セット（３８）は動かされ、第１照明器具（１２）を所望の位置へ移動させる。第２駆動要素（２８）は、溝（３６）付き第２ホイールセット（４０）と第２帯セットを具えているのが望ましく、第２帯セットは、第２ホイールセット（４０）の周囲にはめ込まれ、第２ホイールセット（４０）が回転するとき、第２帯セット（４２）は動かされ、第１照明（１２）を所望の位置へ移動せしめる。又は代わりに、図６及び図７において第１駆動要素（２６）が、第１ギアセット（４４）を具え、それらが相互に作用して、第１照明器具（１２）を所望の位置へ移動せしめても良い。さらに、第２駆動要素（２８）が、第２ギアセット（４６）を具え、相互に作用して、第１照明器具（１２）を所望の位置へ移動せしめても良い。システム（１０）は、Ｎ個の追加照明及びＮ個の追加電動手段（１４）を具えて、各照明器具とコントローラ（１８）とが通信することとが望ましい。コントローラ（１８）は、Ｎ個の電動手段（１４）を制御して、Ｎ個の照明器具の各々が、Ｎ個の照明器具の他の何れからも独立して、夫々の所望の位置に配置される。
【００１１】
本発明は、照明方法に関するものである。該方法は、コントローラ（１８）を備えた部屋の天井に配備されている第１モータ（１６）へ指令する工程を具えている。また、第１照明器具（１２）を第１モータ（１６）によって線状（ｌｉｎｅａｒｌｙ）に移動して、第１照明器具を所望の位置へ位置決めする工程がある。
【００１２】
位置決め工程は、第１照明器具（１２）に連結した駆動列（２０）を第１モータ（１６）によって動かす工程を有することが望ましく、それによって、第１照明器具（１２）を所望の位置へ動かす。該動かす工程は、第１モータ（１６）を具えた駆動列（２０）の第１駆動要素（２６）を動かす工程を含み、第１照明器具（１２）を第１範囲内に配置することが望ましい。該動かす工程には、第２モータ（２２）を具えた駆動列（２０）の第２駆動要素（２８）を動かす工程が設けられているのが望ましく、第１照明器具（１２）及び第２範囲の位置を定める。該動かす工程には、照明器具連結手段（２４）を動かして、第１照明器具（１２）を支持する工程が含まれているのが望ましく、該照明器具連結手段は、第１モータ（１６）及び第２モータ（２２）を具えた駆動列（２０）に連結される。
【００１３】
指令工程には、コントローラ（１８）から、第１モータ（１６）及び第２モータ（２２）へ、駆動信号を送信する工程が含まれていることが望ましく、それによって第１モータ（１６）と第２モータ（２２）が、第１駆動要素（２６）と第２駆動要素（２８）を夫々動かして、第１照明器具（１２）を所望位置に位置決めする。送信工程には、駆動信号を電線もしくは無線で、第１モータ（１６）及び第２モータ（２２）へ送信する工程が含まれているが望ましい。Ｎ個のモータを具えたＮ個び追加照明器具を、動かす工程が含まれているのが望ましく、コントローラ（１８）により夫々所望の位置へ配置される。但しＮは１以上の整数である。
【００１４】
本発明の実施に際しては、装置（４８）が、周知技術により、天井もしくは壁に取り付けられている。装置（４８）は、電動手段（１４）を具え、第１照明器具（１２）を所望の位置に配置する。電動手段（１４）は、駆動列（２０）を具えており、照明器具を所望の位置に配置する。駆動列（２０）は、第１駆動要素（２６）を具えており、該第１駆動要素は、円板状で、装置（４８）に対して水平面に配置され、角がゴム製のトラック（５０）と、装置（４８）の隅部に配置されたゴムホイール（５２）とを具えている。ゴムホイール（５２）がその様に配備されることで、夫々の隅に二つのゴムホイール（５２）が設けられることになり、各ゴムホイール間に隙間ができ、溝が形成される。角がゴム製のトラック（５０）は溝（３８）内に配備されており、該溝は、各隅にゴムホイールが設けられることにより形成される。ゴムホイール（５２）は、それが動くとき、角がゴム製のトラック（５０）を案内すると共に、回転及び移動させる。装置（４８）の隅に配備された第１モータ（１６）は、同じ隅に配備されているゴムホイール（５２）の対と、同一線上に並らび、係合する。第１モータ（１６）は、それが取り付けられているゴムホイール（５２）を動かし、角がゴム製のトラック（５０）を移動せしめる。なぜなら、該トラック（５０）は、装置（４８）の他の隅に配置したゴムホイール（５２）によって案内されているからである。角がゴム製のトラック（５０）の作動は、第１範囲内で照明器具を動かす。トラック及びホイールは、ゴム製に限らず、メタル、セラミックもしくはプラスチックでも構わないことは、当然である。
【００１５】
角がゴム製のトラック（５０）の中心に交差するように、駆動列（２０）の第２駆動要素（２８）が配置されている。第２駆動要素（２８）は、線状で、可変傾斜を有する線状トラックを具え、且つ、照明器具調節アッセンブリに取り付けられたホイールを具えている。照明器具調節アッセンブリ及びホイールは、第２駆動要素に取り付けられており、照明器具連結手段（２４）を形成する。ホイールに取り付けられ該ホイールを駆動する第２モータ（２２）の作用による照明器具調節アッセンブリの働きにより、線状トラックに沿って、可変傾斜の所望位置へ動くことにより、照明器具を第２範囲へ動かし、それによって、照明器具は所望位置を狙うことが可能となる。図４に示すとおり、トラックの下部には、ソケットアッセンブリ（５４）が取り付けられていて、照明器具を支持している。ソケットアッセンブリ（５４）は、照明器具取付手段（２４）の一部分を構成している。第１モータ（１６）がゴムトラックを作動させることで、照明器具は第１平面に沿って移動する。又、第２平面における照明器具調節アッセンブリの作動により、照明器具が第二範囲内に配置可能とする。両範囲が一緒になって、照明器具を所望の位置に配置することが可能である。
【００１６】
ゴムリング又はホイールの代わりに、ギアを用いることにより、照明器具調節アッセンブリを如何なる所望の位置にも配置できる。動力線は、照明調節アッセンブリから延び、第２アッセンブリに連繋され、照明器具に電力を送っている。
【００１７】
コントローラ（１８）は、装置（４８）から離れた所に配置されており、駆動信号を第１モータ（１６）及び第２モータ（２２）に送り、第１駆動要素（２６）及び第２駆動要素（２８）を夫々所望の位置に移動せしめる。その結果、照明器具は、所望の位置へ動かされる。コントローラ（１８）は、夫々の駆動要素の組み合わせをインプットしてあるキーボード、手動式操作装置、ホイールもしくはマウスを有し、スイッチで、所定時期にコントロールするべき駆動要素を決定し、照明器具を所望の位置に移動することが可能である。コントローラ（１８）の一部分であるメモリーは、第１駆動要素（２６）及び第２駆動要素（２８）に対応する夫々の照明器具のために選択した所望の位置を、登録することが可能である。該コントローラで、夫々の範囲における照明器具の位置を記憶することが可能なため、常時、特定装置の照明器具の位置を把握できる。つまり、コントローラが、夫々の駆動要素に対する照明器具の位置を把握しているから、夫々の駆動要素に対する照明器具を、新たな位置に移動することが可能となるのである。
【００１８】
コントローラ（１８）は、夫々のモータに、電線もしくは無線で繋がっており、無線信号や赤外線信号といった電磁放射を用いて、駆動信号をモータへ入力する。コントローラ（１８）は、駆動信号を送信するトランスミッタ（３０）を具えており、モータ夫々が駆動信号を受信する受信機（３２）を有し、駆動信号に従って、夫々のモータを作動させる。追加の装置（４８）が、駆動手段（１４）及びモータと共に、コントローラ（１８）に連繋されており、該装置は、コントローラ（１８）によって、上記に述べたように、装置（４８）と同様の方法で、図５に示すごとく、制御される。
【００１９】
本発明は、説明のために、前述の実施例について詳述したが、その様な詳細な点は、上記目的のためだけであって、当該分野の専門家であれば、以下で述べる特許請求の範囲以外にも、発明の精神及び範囲から逸脱することなく、様々な変更をなし得るということは、理解されるべきである。
【図面の簡単な説明】
添付の図面において、発明の望ましい実施例及び発明を実行する望ましい方法を図示している。
【図１】本発明のシステムの平面の概略図である。
【図２】システムの側面の概略図である。
【図３】システムの端面の概略図である。
【図４】システムの底面の概略図である。
【図５】コントローラ及び天井の複数の照明器具の概略図である。
【図６】システムの他の実施例の側面の概略図である。
【図７】システムの他の実施例の端面の概略図である。
【図１】
2004031327.tif 000003
【図２】
2004031327.tif 000004
【図３】
2004031327.tif 000005
【図４】
2004031327.tif 000006
【図５】
2004031327.tif 000007
【図６】
2004031327.tif 000008
【図７】
2004031327.tif 000009
【手続補正書】
【提出日】平成15年5月1日(2003.5.1)
【手続補正１】
【補正対象書類名】図面
【補正対象項目名】全図
【補正方法】変更
【補正の内容】
【図１】
2004031327.tif 000010
【図２】
2004031327.tif 000011
【図３】
2004031327.tif 000012
【図４】
2004031327.tif 000013
【図５】
2004031327.tif 000014
【図６】
2004031327.tif 000015
【図７】
2004031327.tif 000016